(57)【要約】【課題】シート体が破損することを抑制した支持部品を提供すること。【解決手段】支持部品１は、シート体３を枠体３０に支持するものであって、シート体３の端部３ａを折り返した部分が巻きつけられる外周面を有する、第１方向に延在するバー２０と、シート体３の端部３ａを巻きつけた状態のバー２０を収容できる、第１方向に延在する収容部１１と、収容部１１内に、第１方向と直交する第２方向にシート体３が挿通可能な開口部１５とを有する、バー支持具１０と、を備え、バー支持具１０は、シート体３が枠体３０に支持された状態で、収容部１１内における開口部１５の両側に、バー２０の外周面に巻き付けられたシート体３をバー２０の外周面とで略均等に挟持する少なくとも一対の挟持面１２Ｓａ，１２Ｓｂを有する。【選択図】図１
2016080146.tif 000002
【特許請求の範囲】
【請求項１】
シート体を枠体に支持する支持部品であって、
前記シート体の端部を折り返した部分が巻きつけられる外周面を有する、第１方向に延在するバーと、
前記シート体の端部を巻きつけた状態の前記バーを収容できる、第１方向に延在する収容部と、前記収容部内に、前記第１方向と直交する第２方向にシート体が挿通可能な開口部とを有する、バー支持具と、を備え、
前記バー支持具は、前記シート体が前記枠体に支持された状態で、前記収容部内における前記開口部の両側に、前記バーの外周面に巻き付けられた前記シート体を前記バーの外周面とで略均等に挟持する少なくとも一対の挟持面を有する、支持部品。
【請求項２】
前記一対の挟持面は、前記第１方向から見て前記開口部を通る第２方向に延びる軸に対し対称に存在する、請求項１に記載の支持部品。
【請求項３】
前記収容部に前記バーが収容された状態において、前記バーの軸線周りの回転が規制されている、請求項１又は２に記載の支持部品。
【請求項４】
前記バーは、前記収容部に前記バーが収容された状態で、前記開口部に当接することで前記バーの回転を規制する回転規制部を備えている、請求項３に記載の支持部品。
【請求項５】
前記シート体を挟持する前記バーの外周面と前記一対の挟持面とは、湾曲面によって形成されている、請求項１〜４のいずれか一項に記載の支持部品。
【請求項６】
前記湾曲面の曲率半径が１ｍｍ以上である、請求項５に記載の支持部品。
【請求項７】
前記開口部は、前記第１方向及び前記第２方向と直交する第３方向に所定の開口幅を有し、
前記バーは、
前記開口部の前記開口幅よりも前記第３方向において大きな幅を有して、前記収容部に収容されるバー本体部と、
前記開口部の前記開口幅よりも前記第３方向において小さな幅を有して、前記バー本体部から前記第２方向の一方側へ突出して前記開口部に挿入される前記回転規制部と、を備える、請求項４に記載の支持部品。
【請求項８】
枠体と、前記枠体に配置された複数の支持部品と、前記支持部品に支持される前記シート体とを備え、
前記支持部品は、請求項１〜７のいずれか一項に記載の支持部品である支持構造体。
【発明の詳細な説明】
【技術分野】
【０００１】
本発明は、シート体を支持する支持部品及び当該支持部品を備えた支持構造体に関する。
【背景技術】
【０００２】
従来、看板等に使用されるシート体を支持する支持構造が知られている。例えば、特許文献１には、溝が設けられた収容部材と、収容部材の溝に嵌め込まれる嵌め込み部材とを備えた支持構造が開示されている。この支持構造では、収容部材の溝に舌片が形成されており、嵌め込み部材には舌片に対応した突起が形成されている。収容部材の溝に嵌め込み部材が嵌め込まれる際には、シート体が嵌め込み部材に巻き付けられた状態で、嵌め込み部材が溝に嵌め込まれる。このとき、突起がシート体を介して舌片を弾性変形させる。そして、突起の位置が舌片の位置を越えることで、嵌め込み部材が収容部材の溝に収容される。
【先行技術文献】
【特許文献】
【０００３】
【特許文献１】特開２００９−６３８５３号公報
【発明の概要】
【発明が解決しようとする課題】
【０００４】
特許文献１に記載されたシート体の支持構造では、例えば嵌め込み作業の際にシート体が傷つくことで、シート体が破れやすくなる虞があった。また、シート体が張られた際には、シート体の特定の部分に力が集中しやすく、シート体が破れやすくなる虞があった。
【０００５】
本発明は、シート体が破損することを抑制した支持部品及び支持構造体を提供することを目的とする。
【課題を解決するための手段】
【０００６】
本発明の一形態に係る支持部品は、シート体を枠体に支持する支持部品であって、シート体の端部を折り返した部分が巻きつけられる外周面を有する、第１方向に延在するバーと、シート体の端部を巻きつけた状態の前記バーを収容できる、第１方向に延在する収容部と、収容部内に、第１方向と直交する第２方向にシート体が挿通可能な開口部とを有する、バー支持具と、を備え、バー支持具は、シート体が枠体に支持された状態で、収容部内における開口部の両側に、バーの外周面に巻き付けられたシート体をバーの外周面とで略均等に挟持する少なくとも一対の挟持面を有する。
【０００７】
別の形態に係る支持部品において、一対の挟持面は、第１方向から見て開口部を通る第２方向に延びる軸に対し対称に存在してもよい。
【０００８】
別の形態に係る支持部品において、収容部にバーが収容された状態において、バーの軸線周りの回転が規制されていてもよい。
【０００９】
別の形態に係る支持部品において、バーは、収容部にバーが収容された状態で、開口部に当接することでバーの回転を規制する回転規制部を備えていてもよい。
【００１０】
別の形態に係る支持部品において、シート体を挟持するバーの外周面と一対の挟持面とは、湾曲面によって形成されていてもよい。
【００１１】
別の形態に係る支持部品において、湾曲面の曲率半径が１ｍｍ以上であってもよい。
【００１２】
別の形態に係る支持部品において、開口部は、第１方向及び第２方向と直交する第３方向に所定の開口幅を有し、バーは、開口部の開口幅よりも第３方向において大きな幅を有して、収容部に収容されるバー本体部と、開口部の開口幅よりも第３方向において小さな幅を有して、バー本体部から第２方向の一方側へ突出して開口部に挿入される回転規制部と、を備えてもよい。
【００１３】
本発明の一形態に係る支持構造体は、枠体と、枠体に配置された複数の支持部品と、支持部品に支持されるシート体とを備え、支持部品は、上述のいずれかの形態の支持部品である。
【発明の効果】
【００１４】
本発明によれば、シート体は、収容室内における開口部の両側に形成された一対の挟持面とバーの外周面とによって少なくとも２箇所で略均等に挟持されるため、シート体が破損することを抑制した支持部品及び支持構造体を提供することができる。
【図面の簡単な説明】
【００１５】
【図１】本発明の一実施形態に係る支持構造体を示す断面図である。
【図２】本発明の一実施形態に係る支持部品の斜視図である。
【図３】本発明の一実施形態に係る支持部品の側面図である。
【図４】（ａ），（ｂ）は、バー支持具の変形例を示す断面図であり、（ｃ）〜（ｅ）は、バーの変形例を示す断面図である。
【図５】（ａ）〜（ｅ）は、支持部品の変形例を示す模式図である。
【図６】（ａ）〜（ｅ）は、支持部品の変形例を示す模式図である。
【図７】（ａ）は図２の支持部材によってシート体が張られた状態を示す断面図である。（ｂ）は比較例の支持部材によってシート体が張られた状態を示す断面図である。
【発明を実施するための形態】
【００１６】
本発明の一形態に係る支持部品は、シート体を枠体に支持する支持部品であって、シート体の端部を折り返した部分が巻きつけられる外周面を有する、第１方向に延在するバーと、シート体の端部を巻きつけた状態の前記バーを収容できる、第１方向に延在する収容部と、収容部内に、第１方向と直交する第２方向にシート体が挿通可能な開口部とを有する、バー支持具と、を備え、バー支持具は、シート体が枠体に支持された状態で、収容部内における開口部の両側に、バーの外周面に巻き付けられたシート体をバーの外周面とで略均等に挟持する少なくとも一対の挟持面を有する。
【００１７】
このような形態によれば、開口部に挿通されたシート体が、バーの外周面に巻き付けられた状態でバーと共に収容部内に収容される。このとき、シート体は、収容室内における開口部の両側に形成された一対の挟持面とバーの外周面とによって少なくとも２箇所で略均等に挟持される。したがって、シート体に加わる引っ張り力が少なくとも２箇所に分散されることで、一箇所あたりに加わる引っ張り力を小さく抑えることができ、シート体が破損することを抑制することができる。
【００１８】
以下、本発明に係る実施の形態について図面を参照しながら具体的に説明する。便宜上、実質的に同一の要素には同一の符号を付し、その説明を省略する場合がある。また「Ｘ軸方向（第１方向）」、「Ｙ軸方向（第２方向）」及び「Ｚ軸方向（第３方向）」の語は、図示する直交座標系に基づいており便宜的なものである。
【００１９】
図１は本実施形態に係る支持部品１にシート体３が支持された支持構造体１００を部分的に示す断面図である。図２は支持部品１を示す斜視図である。また、図３は、支持部品１を示す側面図であり、後述するバー支持具１０にバー２０が収容された状態を示している。図１に示されるように、本実施形態における支持構造体１００は例えば看板であり、矩形枠状に配置された枠体３０と、枠体３０に対して連結部材５０によって連結された支持部品１と、支持部品１によって枠体３０の全面に支持されたシート体３とによって構成されている。
【００２０】
枠体３０と支持部品１の連結構造は特に限定されるものではないが、例えば図１に示す構造で連結される。ここで、枠体３０は、枠状に配置された断面Ｌ字状のアングル３１と、このアングル３１の内周側に固定された、アングル３１よりも小さな断面Ｌ字状のアングル３５とを備えている。アングル３５によって連結部材５０を係止するための係止片３７が形成される。連結部材５０は、断面略Ｓ字状の連結プレート５１、ボルト５２、ナット５３及びワッシャ５５を備えている。連結プレート５１の一端側は、係止片３７に係止される。また、連結プレート５１の他端側に形成された貫通孔（図示省略）には、ボルト５２が挿通される。そして、ボルト５２のボルト頭５２ａがワッシャ５５を介して支持部品１に連結されることで、支持部品１が枠体３０に支持される。支持部品１は、枠体３０の全周にわたって互いに間隔をあけて複数配置されるものであり、例えば１ｍあたり４〜５個程度配置される。シート体３としては、熱可塑性でフレキシブルなシートであれば使用できる。なお、不燃性であることが望ましい。例えば、塩化ビニル樹脂やフッ素系樹脂によって形成される２枚のシートでガラス繊維を挟み込んだ構造が使用できる。シート体３の表面には、広告内容が印刷されたシートや着色されたシートが貼着されて枠体３０に支持される。
【００２１】
さらに図２及び図３に示されるように、支持部品１は、シート体３の端部３ａを折り返した部分が巻きつけられるバー２０と、シート体３の端部３ａを巻きつけた状態のバー２０を支持するバー支持具１０と、を備える。バー支持具１０は、Ｙ軸方向の一方側に連結部材５０との連結部１９を備え、Ｙ軸方向の他方側にバー２０と共にシート体３を支持するための支持部９を備えている。支持部９は、シート体３の端部３ａを巻きつけた状態のバー２０を収容するための収容部１１と、収容部１１内に、Ｙ軸方向にシート体３が挿通可能な開口部１５と、を備えている。
【００２２】
連結部１９は、ボルト５２のボルト頭５２ａが配置される第１溝１９ａと、ボルト５２に嵌められるワッシャ５５が配置される第２溝１９ｂとを備えている。第１溝１９ａ及び第２溝１９ｂは、いずれもＸ軸方向に延在している。また、第２溝１９ｂのＺ軸方向における幅は、第１溝１９ａよりも大きく形成されている。第２溝１９ｂのＹ軸方向外方にはワッシャ５５の抜けを防止する押さえ片１９ｃが形成されている。図１に示されるように、ボルト５２にワッシャ５５が嵌められた状態でボルト５２のボルト頭５２ａが第１溝１９ａに配置され、ワッシャ５５が第２溝１９ｂに配置されることで、ボルト５２のＹ軸方向及びＺ軸方向への移動が規制される。なお、この状態で、押さえ片１９ｃを第２溝１９ｂ側に変形させることでワッシャ５５のＸ軸方向への移動も規制される。
【００２３】
ここで、図３を参照してバー支持具１０の支持部９の構成、及びバー２０の構成について詳細に説明する。図３に示されるように、バー支持具１０の支持部９は、収容部１１を挟んでＺ軸方向に互いに対向する一対の側壁部１３と、一対の側壁部１３同士をＹ軸方向一方側で接続する上壁部１４とを備えている。側壁部１３及び上壁部１４は、Ｘ軸方向に延在している。一対の側壁部１３のＹ軸方向他方側には、Ｚ軸方向において互いに近付く向きに向かって（軸Ｃに向かって）迫り出す一対の迫り出し部１３ａが形成されている。この一対の迫り出し部１３ａ同士が互いに離間するように対向して形成されるスリット状の部分が、収容部１１の開口部１５となる。収容部１１及び開口部１５はＸ軸方向に延在しており、バー支持具１０のＸ軸方向における全域に形成されている。また、収容部１１及び開口部１５の形状は、Ｘ軸方向において一様となっている。収容部１１及び開口部１５は、Ｘ軸方向から見たときに、開口部１５の中心を通るＹ軸方向の軸Ｃを中心として対称である。
【００２４】
収容部１１は内周面１２を備えている。内周面１２は、一対の側壁部１３における内側の面であってＺ軸方向に互いに平行に対向する平面である側面１２ａと、上壁部１４における内側の面であって側面１２ａと直交する平面である上面１２ｂと、開口部１５においてＺ軸方向に互いに平行に対向する平面である開口面１２ｃと、側面１２ａと開口面１２ｃとの間に形成される凹状の湾曲面１２ｄと、を備えている。湾曲面１２ｄは、迫り出し部１３ａのＹ軸方向の一方側の端部を円弧状に湾曲させることによって形成されている。湾曲面１２ｄと開口面１２ｃとの間の境界部分には、エッジが形成されないように凸状の湾曲面１２ｅが形成されている。湾曲面１２ｄ，１２ｅを含んだ、収容部１１の開口部１５側の領域（及び開口部１５の一部の領域）は、後述する一対の挟持面１２Ｓａ，１２Ｓｂを構成しており、開口部１５の中心を通るＹ軸方向の軸Ｃを中心としてＺ軸方向両側に対称に形成されている。開口面１２ｃのＹ軸方向他端側（開口端側）の端部は、所定の曲率半径によって形成された凸状の湾曲面１２ｆとなっている。また、側面１２ａと上面１２ｂとの接続部分には、角が形成されないように凹状の湾曲面１２ｇが形成されている。
【００２５】
バー２０は、Ｘ軸方向に延在する略円柱状のバー本体部２２と、バー本体部２２からＹ軸方向の他方側に突出するプレート状の回転規制部２５とを備えている。回転規制部２５は、バー本体部２２におけるＸ軸方向の一端から他端までの全域に形成されている。ただし、回転規制部２５は、バー本体部２２におけるＸ軸方向の一部に形成されていてもよい。
【００２６】
バー２０は、シート体３の端部３ａ側を折り返した部分が巻きつけられる外周面２１を備える。外周面２１は、バー本体部２２の外周を形成する円弧面２１ａと、回転規制部２５においてＺ軸方向に互いに平行に対向する平面である一対の側面２１ｂと、回転規制部２５のＹ軸方向他端側における先端に形成される凸状の湾曲面２１ｃとを備える。円弧面２１ａと側面２１ｂとの間の境界部分はエッジが形成されないように凹状の湾曲面２１ｄとして形成されている。この湾曲面２１ｄは、バー支持具１０における収容部１１と開口部１５との間の境界部分に形成される湾曲面１２ｅより僅かに大きな略相似形状をなしている。
【００２７】
バー本体部２２の径Ｄの大きさ（すなわち、Ｚ軸方向におけるバー本体部２２の幅）は、収容部１１におけるＺ軸方向の端部同士の幅１１Ｌ（ここでは一対の側面１２ａ間の幅）よりも小さく形成されるとともに、開口部１５の開口幅１５Ｌ（一対の開口面１２ｃ間の幅）よりも大きく形成されている。そのため、バー２０が収容部１１に収容された状態では、バー２０が開口部１５から抜け出すことはない。また、収容部１１の内周面１２とバー２０の外周面２１との間には、少なくともシート体３が収容可能な間隙が形成される。
【００２８】
また、回転規制部２５の幅２５Ｌは、開口部１５の開口幅１５Ｌよりも小さく形成されている。開口部の開口面１２ｃと回転規制部２５の側面２１ｂとの間に少なくともシート体３が挿通可能な間隙が形成される。
【００２９】
シート体３の折り返し部分が巻き付けられたバー２０が収容部１１に収容された状態では、バー本体部２２が収容部１１に位置し、回転規制部２５が開口部１５に挿入される。そのため、バー２０を収容部１１内で回転させようとしても、開口部１５のいずれかの開口面１２ｃに回転規制部２５が当接することで、バー２０の軸線周りの回転が規制される。また、この状態では、シート体３は、バー２０の外周面２１のうち円弧面２１ａに沿って折り返されている。そのため、シート体３の端部３ａ側（図１参照）は、軸ＣよりもＺ軸方向一方側において、側面２１ｂと開口面１２ｃとの間に配置され、湾曲面２１ｄと湾曲面１２ｅとの間に配置され、円弧面２１ａと湾曲面１２ｄとの間に配置される。また、シート体３は収容部１１内において円弧面２１ａに沿ってＺ軸方向他方側へ回り込む。そして、シート体３の中央部３ｂ側（端部３ａとは反対側の端部側）は、軸ＣよりもＺ軸方向他方側において、側面２１ｂと開口面１２ｃとの間に配置され、湾曲面２１ｄと湾曲面１２ｅとの間に配置され、円弧面２１ａと湾曲面１２ｄとの間に配置される。
【００３０】
収容部１１の内周面１２は、シート体３が枠体３０に支持された状態で、収容部１１内における開口部１５の両側に、バー２０の外周面２１に巻き付けられたシート体３をバー２０の外周面２１とで略均等に挟持する少なくとも一対の挟持面を有している。一対の挟持面は、Ｘ軸方向から見て開口部１５を通るＹ軸方向に延びる軸Ｃに対し対称に存在する。このような挟持面は、バー２０の外周面２１に対して少なくともＹ軸方向において対向している。挟持面は、収容部１１のＹ軸方向他方側（すなわち開口部１５側）に形成されており、Ｙ軸方向他方側からバー２０の外周面２１と対向することで、バー２０の外周面２１との間でシート体３を挟持することができる。ここで、「Ｙ軸方向において対向する」とは、完全にＹ軸方向において対向する場合（例えば、図５（ｂ）に示す変形例のように、収容部１１１Ｂの底面１１２ａとそれに対向するバー１２０の下面がいずれもＹ軸と垂直に広がっているような場合）のみを意味するものではなく、完全にＹ軸方向において対向していなくとも、挟持面が傾斜又は湾曲することで、少なくともＹ軸方向の成分を含むように対向している場合をも含むものである。このように、挟持面がＹ軸方向の成分を含むようにバー２０の外周面２１と対向することにより、挟持面はＺ軸方向に所定の幅をもってシート体３を挟持できる。これにより、シート体が張られることでシート体にＹ軸方向の力が加わった場合には、Ｙ軸方向と交差するＺ軸方向へ力を分散することができる。
【００３１】
本実施形態では、一対の湾曲面１２ｄ及び一対の湾曲面１２ｅによって挟持面１２Ｓａ，１２Ｓｂがそれぞれ構成される。このように、挟持面１２Ｓａ，１２Ｓｂは、Ｙ軸方向一方側から他方側へ向かうに従って、Ｚ軸方向における互いの離間距離が徐々に狭くなるような曲面によって構成される。収容部１１に形成された一対の挟持面１２Ｓａ，１２Ｓｂは、バー２０の外周面２１における円弧面２１ａの開口部１５側の部分と湾曲面２１ｄとに対して、Ｙ軸方向の成分及びＺ軸方向の成分を含んで対向しているため、少なくともＹ軸方向において対向するものである。そのため、シート体３が巻き付けられたバー２０が収容部１１に収容された状態でシート体３をＹ軸方向他方側に張ると、一対の挟持面１２Ｓａ，１２Ｓｂと、バー２０の外周面２１における円弧面２１ａの開口部１５側の部分及び湾曲面２１ｄとによってシート体３が挟持される。一対の挟持面１２Ｓａ，１２Ｓｂは、軸Ｃを中心としてＺ軸方向に対称に形成されているため、一方の挟持面１２Ｓａと他方の挟持面１２Ｓｂとで、シート体３は略均等に挟持される。なお、挟持面１２Ｓａと挟持面１２Ｓｂとは、完全に均等でなくてよく、製造上の誤差や力のバランスに影響を与えない範囲で形状が異なっていてもよい。
【００３２】
支持部品１では、少なくとも、収容部１１の内周面１２のうち挟持面１２Ｓａ，１２Ｓｂに該当する面、及びバー２０の外周面２１のうち挟持面１２Ｓａ，１２Ｓｂとの間でシート体３を挟み込む部分は、湾曲面または平面のみによって構成されており、エッジを有していないことが好ましい。本実施形態においては、挟持面１２Ｓａ，１２Ｓｂは湾曲面１２ｄ，１２ｅのみによって構成されており、エッジを有していない。また、バー２０の外周面２１のうち挟持面１２Ｓａ，１２Ｓｂとの間でシート体３を挟み込む部分は円弧面２１ａの一部（すなわち湾曲面）及び湾曲面２１ｄによって構成されており、エッジを有していない。更に、挟持面１２Ｓａ，１２Ｓｂ等以外の部分でも、内周面１２及び外周面２１のうち、シート体３を巻き付けたバー２０を収容部１１に収容した状態においてシート体３と当接する部分（及びシート体３の揺れなどによって当接し得る部分）は、湾曲面または平面のみによって構成されており、エッジを有していないことが好ましい。本実施形態においては、内周面１２のうちシート体３と当接し得る部分として、平面として構成される側面１２ａ及び開口面１２ｃ及び湾曲面１２ｆが挙げられるが、いずれの部分にもエッジを有していない。また、外周面２１のうちシート体３と当接する部分（当接し得る部分）として、円弧面２１ａのＹ軸方向一方側の一部（すなわち半円状の湾曲面）、平面として構成される側面２１ｂ及び湾曲面２１ｃが挙げられるが、いずれの部分にもエッジを有していない。以上のように、支持部品１に支持されるシート体３では、湾曲面または平面のみと当接し、エッジと当接することが防止されているため、破れの発生が抑制されている。なお、「エッジ」とは、シート体３にダメージを与える程度に曲率半径が小さく構成されている部分であり、例えば曲率半径１ｍｍ未満の部分である。
【００３３】
このような本実施形態の一例として、バー本体部２２の径Ｄは１２ｍｍであってよく、回転規制部２５のＺ軸方向の幅２５Ｌは４ｍｍであってよい。バー支持具１０の開口部１５における開口幅１５Ｌは、バー本体部２２の径Ｄよりも小さければよく、例えば、バー本体部２２の径Ｄの約１／２以下、１／３以下、具体的には約５ｍｍであってよい。収容部１１におけるＺ軸方向の両端部間の幅１１Ｌは、収容部１１に対してバー本体部２２がＸ軸方向に摺動可能となるように、バー本体部２２の径Ｄより大きければよい。例えば、３ｍｍ程度大きく、約１５ｍｍであってよい。収容部１１におけるＸ軸方向の長さは、特に限定されないが、枠体３０の一辺に複数設置するために適した長さであればよく、例えば約６５ｍｍであってよい。また、バー２０のＸ軸方向の長さは収容部１１におけるＸ軸方向の長さより長ければよく、例えば１２０ｍｍであってよい。また、収容部１１における挟持面１２Ｓａ，１２Ｓｂの曲率半径及びバー２０における湾曲面２１ｄの曲率半径は、最も小さい部分でも１ｍｍ以上、より好ましくは２ｍｍ以上、あるいは３ｍｍ以上、あるいは５ｍｍ以上である。
【００３４】
次に、本実施形態に係る支持部品１及び支持構造体１００の作用・効果について説明する。
【００３５】
都市部などの防火地域では、火災時の延焼拡大を防止するために、看板の主要部分を不燃材料で造る必要がある。そのため、看板の主面板として、ガラス繊維を２枚の塩化ビニル樹脂で挟み込んだ構造のシート体が用いられる場合がある。しかしながら、このようなシート体では、ガラス繊維が使用されていることから、引っ張り強度は大きいが、引裂き強度は小さいものとなっている。そのため、従来の支持部品では、例えば嵌め込み作業の際にシート体が傷ついたり、シート体が張られた際にシート体の特定の部分に力が集中したりすることで、シート体が破れやすくなる虞があった。
【００３６】
これに対し、本実施形態に係る支持部品１では、開口部１５に挿通されたシート体３が、バー２０の外周面２１に巻き付けられた状態でバー２０と共に収容部１１内に収容される。このとき、シート体３は、収容部１１内における開口部１５の両側に形成された一対の挟持面１２Ｓａ，１２Ｓｂとバー２０の外周面２１とによって、少なくとも２箇所で略均等に挟持される。したがって、シート体３に加わる引っ張り力が、少なくとも２箇所に分散されることで、一箇所あたりに加わる引っ張り力を小さく抑えることができ、シート体３が破損することを抑制することができる。
【００３７】
また、一対の挟持面１２Ｓａ，１２Ｓｂは、Ｘ軸方向から見て開口部１５を通るＹ軸方向に延びる軸Ｃに対しＺ軸方向に対称に存在している。そのため、一対の挟持面１２Ｓａ，１２Ｓｂとバー２０の外周面２１とによってシート体３が挟持される際に、一方の挟持面１２Ｓａと他方の挟持面１２Ｓｂとで同じようにシート体３を挟持しやすく、いずれか一方に力が偏り過ぎることを抑制して、略均等に挟持しやすくなる。
【００３８】
また、収容部１１にバー２０が収容された状態において、バー２０の軸線周りの回転が規制されている。そのため、シート体３が引っ張られた際に、バー２０が回転することでシート体３が支持部品１からすり抜けてしまうことが防止される。これにより、シート体３が引っ張られる力によって、バー２０が収容部１１の開口部１５側に押し付けられやすくなる。
【００３９】
また、バー２０は、収容部１１にバー２０が収容された状態で、開口部１５に当接することでバー２０の回転を規制する回転規制部２５を備えている。これによって、バー２０の回転をより確実に規制することができる。例えば、本実施形態ではバー２０のバー本体部２２は略円柱状となっており、（角部を有する形状とは異なり）巻き付けられたシート体３に部分的に力がかかることを抑制できる形状である一方、収容部１１内で回転し易い形状となっている。本実施形態では、バー本体部２２の形状に関わらず回転規制部２５によって回転を規制することができる。なお、この場合、開口部１５と回転規制部２５の間には、シート体３が介在しているため、開口部１５と回転規制部２５とによってシート体３を挟持してもよい。これにより、シート体３を挟持する力がより分散されることになる。
【００４０】
また、シート体３を挟持するバー２０の外周面２１と一対の挟持面１２Ｓａ，１２Ｓｂとは、湾曲面２１ｄ，１２ｄ，１２ｅを含んで形成されている。特に、本実施形態では湾曲面２１ｄ，１２ｄ，１２ｅの曲率半径が１ｍｍ以上であることが好ましい。この場合、バー２０の外周面２１及び挟持面１２Ｓａ，１２Ｓｂに対して、シート体３は面接触によって挟持されることになる。これにより、線接触等によってシート体３が保持される場合（例えば挟持面にエッジが形成される場合など）に比べて、挟持されている部分に加わる力が分散される。また、本実施形態のように挟持面及び対応するバーの外周面を湾曲面のみによって形成した場合、例えば後述の変形例のうち図５（ｃ）、図６（ｅ）に示すように挟持面が平面を有しているものに比べて、シート体３に作用する力を滑らかに変化させることができるため、シート体３の特定の部分に力が集中することを一層抑制できる。
【００４１】
また、シート体３を挟持する部分に力が集中し難い支持部品１を用いることで、シート体３はより大きな引っ張り強度を備えることになる。そのため、このような支持部品１を用いて支持構造体１００を構成することで、シート体３を大型化することができる。
【００４２】
以上、本発明の実施の形態について図面を参照して詳述したが、具体的な構成はこの実施形態に限られるものではない。
【００４３】
例えば、支持部品の形状は、実施形態の形状に限定されるものではない。例えば、バー支持具の形状の変形例を図４（ａ）及び（ｂ）に示す。図４（ａ）に示されるバー支持具１０Ａでは、収容部１１Ａの形状が実施形態におけるバー支持具１０と相違する。バー支持具１０における収容部１１では、内周面１２における上面１２ｂが平坦に形成されているが、図４（ａ）に示されるように、収容部１１Ａを断面略円形状としてもよい。この場合であっても、バー支持具１０Ａの収容部１１Ａにおける開口部１５側の形状は、実施形態におけるバー支持具１０と同様である。
【００４４】
また、図４（ｂ）に示されるバー支持具１０Ｂのように、全体の形状を略円筒状にしてもよい。図示例では、収容部１１Ｂの形状が図４（ａ）と同様に断面円形状となっているが、実施形態におけるバー支持具１０のように上面１２ｂに相当する部分を平坦にしてもよい。図４（ｂ）の例では、開口部１５の形状が、実施形態のバー支持具１０と相違する。しかし、この場合であっても、バー支持具１０Ｂの収容部１１Ｂにおける開口部１５側の形状は、実施形態におけるバー支持具１０と同様である。
【００４５】
また、例えば、バーの変形例を図４（ｃ）〜（ｅ）に示す。図４（ｃ）に示されるバー２０Ａの断面形状は、全体的に凸状に湾曲した盾形状であり、一方側（図面では下側）にはやや突出した突出部２９Ａが形成されている。このようなバー２０Ａが、例えばバー支持具１０Ａと組み合わされて使用される場合には、突出部２９Ａを回転規制部として機能させてもよい。また、図４（ｄ）に示されるバー２０Ｂは、断面円形状の部分と断面楕円形の部分とが組み合わされた形状であり、Ｚ軸方向にくびれＫが形成されている。このようなバー２０Ｂが、例えばバー支持具１０Ｂと組み合わされて使用される場合には、くびれＫを開口部１５に配置することで、くびれＫを回転規制部としてもよい。また、図４（ｅ）に示されるバー２０Ｅは、例えばプレート材を湾曲させることで形成されている。図示例のバーは、例えば所定の厚みを有する１枚のプレートが折り曲げられることで、実施形態におけるバー２０と同様の形状の外周面２１を備えるものである。そのため、バー２０Ｃは、実施形態におけるバー２０と同様に使用することができる。このように、バーの形状は、バー支持具に対応するように、種々に変形させることができる。
【００４６】
さらに、支持部品は、例えば図５（ａ）〜（ｅ）や図６（ａ）〜（ｅ）に例示されるように、種々の変形が可能である。図５（ａ）〜（ｅ）及び図６（ａ）〜（ｅ）は、いずれも支持部品の断面図を模式的に示すものであり、連結部は省略されている。
【００４７】
例えば、図５（ａ）に示される支持部品１０１Ａでは、バー１２０Ａの形状が断面楕円形状となっている。バー支持具１１０Ａは、一対の側壁部１１３Ａと側壁部１１３Ａ同士を接続する上壁部１１４Ａとを備えている。側壁部１１３Ａには、内側に徐々に迫り出す一対の迫り出し部１１３Ａａが形成されている。これにより、収容部１１１Ａにおける内周面１１２Ａの開口部１１５Ａ側は、バー１２０Ａの楕円形状に沿った湾曲面１１２Ａａとなっている。これにより、一対の湾曲面１１２Ａａが挟持面として機能することで、湾曲面１１２Ａａとバー１２０Ａの外周面１２１Ａとによってシート体を挟持することができる。なお、この変形例においては、バー１２０Ａの形状自体が収容部１１１Ａの形状に対して回転し難くなることによって、バー１２０Ａの軸線周りの回転が規制されている。この場合、バー１２０Ａから開口部１１５に突出するような回転規制部を設けなくともよい。以降の他の変形例の一部についても同様である。
【００４８】
また、図５（ｂ）に示される支持部品１０１Ｂでは、バー１２０Ｂの形状が断面四角形状となっている。バー支持具１１０Ｂは、一対の側壁部１１３Ｂと側壁部１１３Ｂ同士を接続する上壁部１１４Ｂとを備えている。側壁部１１３Ｂには、略直角に折れ曲がって内側に迫り出す迫り出し部１１３Ｂａが形成されている。これにより、収容部１１１Ｂの内周面１１２Ｂには、迫り出し部１１３Ｂａの位置に底面１１２Ｂａが形成される。この例では、一対の底面１１２Ｂａが挟持面として機能することで、底面１１２Ｂａとバー１２０Ｂの外周面１２１Ｂとによってシート体を挟持することができる。
【００４９】
また、図５（ｃ）に示される支持部品１０１Ｃでは、バー１２０Ｃの形状が断面略三角形状となっている。より詳しくは、三角形の各頂点に相当する部分が湾曲した形状となっている。バー支持具１１０Ｃは、一対の側壁部１１３Ｃと側壁部１１３Ｃ同士を接続する上壁部１１４Ｃとを備えている。側壁部１１３Ｃは、その全体がバー１２０Ｃに沿うように一定の角度で内側に迫り出している。これにより、内周面１１２Ｃは、バー１２０Ｃに沿うように一定の角度で形成される一対の傾斜面１１２Ｃａを備える。この例では、収容部１１１Ｃにおける一対の傾斜面１１２Ｃａの開口部１１５側が挟持面として機能することで、傾斜面１１２Ｃａとバー１２０Ｃの外周面１２１Ｃとによってシート体を挟持することができる。
【００５０】
また、図５（ｄ）に示される支持部品１０１Ｄでは、バー１２０Ｄの形状が断面略四角形状となっている。より詳しくは、四角形の各頂点に相当する部分が、湾曲した湾曲面となっている。バー支持具１１０Ｄは、一対の側壁部１１３Ｄと側壁部１１３Ｄ同士を接続する上壁部１１４Ｄとを備えている。側壁部１１３Ｄの開口部１１５側には、一定の角度で内側に迫り出す迫り出し部１１３Ｄａが形成されている。収容部１１１Ｄにおける内周面１１２Ｄの開口部１１５側は、バー１２０Ｄの頂点部分における湾曲面に当接可能な傾斜面１１２Ｄａとなっている。これにより、一対の傾斜面１１２Ｄａが挟持面として機能することで、傾斜面１１２Ｄａとバー１２０Ｄの外周面１２１Ｄとによってシート体を挟持することができる。
【００５１】
また、図５（ｅ）に示される支持部品１０１Ｅでは、バー１２０Ｅの断面形状が略三角形状となっている。より詳しくは、三角形の各頂点に相当する部分が湾曲した形状となっているとともに、外周面１２１Ｅのうちの開口部１１５Ｅ側に向いた２つの側面には、バー１２０Ｅの内側に向かって湾曲した湾曲面１２１Ｅａが形成されている。バー支持具１１０Ｅは、一対の側壁部１１３Ｅと側壁部１１３Ｅ同士を接続する上壁部１１４Ｅとを備えている。側壁部１１３Ｅは、その全体が一定の角度で内側に迫り出している。収容部１１１Ｅにおける内周面１１２Ｅの開口部１１５側は、バー１２０Ｅの湾曲面１２１Ｅａに沿った湾曲面１１２Ｅａとなっている。これにより、一対の湾曲面１１２Ｅａが挟持面として機能することで、湾曲面１１２Ｅａと湾曲面１２１Ｅａとによってシート体を挟持することができる。
【００５２】
また、図６（ａ）に示される支持部品１０１Ｆでは、バー１２０Ｆの断面形状が略錨型となっている。より詳しくは、バー１２０Ｆは、開口部１１５Ｆ側が凹部となるように湾曲したバー本体部１２２Ｆと、バー本体部１２２Ｆから開口部１１５Ｆ側に突出する回転規制部１２５Ｆとを備えている。バー本体部１２２Ｆと回転規制部１２５Ｆとの間の境界部分には、湾曲した凹状部１２１Ｆが形成されている。バー支持具１１０Ｆは、一対の側壁部１１３Ｆと側壁部１１３Ｆ同士を接続する上壁部１１４Ｆとを備えている。側壁部１１３Ｆの開口部１１５Ｆ側に形成された迫り出し部１１３Ｆａには、収容部１１１Ｆ側に突出した突出片１１３Ｆｂが形成されている。この突出片１１３Ｆｂの先端には、凹状部１２１Ｆの形状に沿った湾曲面１１２Ｆが形成されている。これにより、湾曲面１１２Ｆが挟持面として機能することで、湾曲面１１２Ｆと凹状部１２１Ｆとによってシート体を挟持することができる。
【００５３】
また、図６（ｂ）に示される支持部品１０１Ｇでは、バー１２０Ｇが断面略円形のバー本体部１２２Ｇと断面略楕円形の回転規制部１２５Ｇとを備えている。バー本体部１２２Ｇと回転規制部１２５Ｇとの間の境界部分には、湾曲しながらくびれた凹状部１２１Ｇが形成されている。バー支持具１１０Ｇは、一対の側壁部１１３Ｇと側壁部１１３Ｇ同士を接続する上壁部１１４Ｇとを備えている。側壁部１１３Ｇの開口部１１５Ｇ側に形成された迫り出し部１１３Ｇａには、凹状部１２１Ｇの形状に沿った湾曲面１１２Ｇが形成されている。これにより、湾曲面１１２Ｇが挟持面として機能することで、湾曲面１１２Ｇと凹状部１２１Ｇとによってシート体を挟持することができる。
【００５４】
また、図６（ｃ）に示される支持部品１０１Ｈでは、バー１２０Ｈが断面略円形のバー本体部１２２Ｈとプレート状の回転規制部１２５Ｈとを備えている。回転規制部１２５Ｈの端部は断面略円形状に形成されている。また、バー本体部１２２Ｈと回転規制部１２５Ｈの断面楕円形の部分１２５Ｈａとは、いずれも中空に形成されている。バー支持具１１０Ｈは、一対の側壁部１１３Ｈと側壁部１１３Ｈ同士を接続する上壁部１１４Ｈとを備えている。これらの側壁部１１３Ｈと上壁部１１４Ｈとは、断面略Ｃ字状となるように、滑らかに連続している。また、側壁部１１３Ｈには、徐々に内側に迫り出す迫り出し部１１３Ｈａが形成されている。この迫り出し部１１３Ｈａには、バー本体部１２２Ｈの外周面１２１Ｈに沿う凹状に湾曲した湾曲面１１２Ｈが形成されている。これにより、湾曲面１１２Ｈが挟持面として機能することで、湾曲面１１２Ｈとバー本体部の外周面１２１Ｈとによってシート体を挟持することができる。
【００５５】
また、図６（ｄ）に示される支持部品１０１Ｉでは、バー１２０Ｉが、扁平な断面楕円形状を有するバー本体部１２２Ｉとバー本体部１２２Ｉから突出するプレート状の回転規制部１２５Ｉとを備えている。バー支持具１１０Ｉは、一対の側壁部１１３Ｉと側壁部１１３Ｉ同士を接続する上壁部１１４Ｉとを備えている。側壁部１１３Ｉの開口部１１５Ｉ側に形成された迫り出し部１１３Ｉａには、バー本体部１２２Ｉの形状に沿った扁平な湾曲面１１２Ｉが形成されている。これにより、湾曲面１１２Ｉが挟持面として機能することで、湾曲面１１２Ｉとバー１２０Ｉの外周面１２１Ｉとによってシート体を挟持することができる。
【００５６】
また、図６（ｅ）に示される支持部品１０１Ｊでは、バー１２０Ｊが、断面略三角形状を有するバー本体部１２２Ｊとバー本体部１２２Ｊから突出するプレート状の回転規制部１２５Ｊとを備えている。バー本体部１２２Ｊは、三角形の頂点に相当する部分が湾曲した形状となっている。回転規制部１２５Ｊは、バー本体部１２２Ｊにおける一の頂点部分から開口部１１５Ｊに向けて突出している。バー支持具１１０Ｊは、一対の側壁部１１３Ｊと側壁部１１３Ｊ同士を接続する上壁部１１４Ｊとを備えている。側壁部１１３Ｊは、その全体がバー１２０Ｊに沿うように一定の角度で内側に迫り出している。これにより、内周面１１２Ｊは、バー１２０Ｊに沿うように一定の角度で形成される一対の傾斜面１１２Ｊａを備える。この例では、収容部１１１Ｊにおける傾斜面１１２Ｊａの開口部１１５Ｊ側が挟持面として機能することで、傾斜面１１２Ｊａとバー１２０Ｊの外周面１２１Ｊとによってシート体を挟持することができる。
【００５７】
［実施例］
図１〜図３を用いて説明した実施形態に相当する支持部品によってシート体を支持させた状態で、シート体の引っ張り強度の測定する試験を行った。具体的には、開口部１５における開口幅１５Ｌが約５ｍｍであり、収容部１１におけるＺ軸方向の両端部間の幅１１Ｌが約１５ｍｍであり、収容部１１におけるＸ軸方向の長さが約６５ｍｍであるバー支持具１０を用いた。また、回転規制部２５のＺ軸方向の幅２５Ｌは４ｍｍであり、収容部１１における一対の挟持面１２Ｓａ，１２Ｓｂの曲率半径及びバー２０における湾曲面２１ｄの曲率半径は約３ｍｍ以上であった。
【００５８】
試験には、幅３ｃｍ、長さ３０ｃｍに成形されたシート体を用いた。このシート体は、塩化ビニル樹脂によって形成される２枚のシートでガラス繊維を挟み込んだ構造となっている。また、同素材からなるシート体の引っ張り強さをＪＩＳ  Ｌ１０９６  ８．１４．１  Ａ法（ストリップ法）に基いて測定したところ約２５００Ｎ／３０ｍｍであった。
【００５９】
図７（ａ）に示されるように、シート体の長さ方向の両端部が５ｃｍのところで折り返されるように、それぞれ本実施形態の支持部品１によって支持した。すなわち、一方のバーから他方のバーまでの距離Ｌは２０ｃｍである。この状態で、引張速度を３００ｍｍ／ｍｉｎとして、シート体が引っ張られたときの力を引っ張り強度とした。その結果、引っ張り強度は、約２５００Ｎ／３０ｍｍであった。また、シート体は、シート体の長さ方向の中央付近で引き裂かれていた。
【００６０】
比較例として、図７（ｂ）に示される従来の支持部品９０を用いた。この支持部品９０は、断面四角形状の収容部９１と当該収容部９１と略同形上の断面をもつバー９５とを備えている。収容部９１にはＺ軸方向に向いた開口部９２が形成されている。そのため、収容部９１の内周面９１ａとバー９５の外周面９５ａとによって形成されるＹ軸方向に対向する挟持面９１Ｓは、１つのみである。バー９５の断面四角形状におけるＺ軸方向の幅は約５ｍｍ、Ｙ軸方向の長さは約１３ｍｍであり、収容部９１の断面四角形状は、このバー９５が摺動可能に間隙を持つ大きさであった。このような支持部品９０を用いて、図７（ａ）と同様の方法で試験を行ったところ、引っ張り強度は、約１２００Ｎ／３０ｍｍであった。また、シート体は、一方の支持部品９０におけるバーのエッジ部分９４で引き裂かれていた。
【００６１】
以上のように、本実施形態の支持部品を用いた際の引っ張り強度は、従来の支持部品を用いた場合の引っ張り強度の２倍以上であった。
【符号の説明】
【００６２】
１，１０１Ａ〜１０１Ｊ…支持部品、３…シート体、１０，１０Ａ，１０Ｂ，１１０Ａ〜１１０Ｊ…バー支持具、１１…収容部、１２Ｓａ，１２Ｓｂ…挟持面、１５…開口部、２０，２０Ａ，２０Ｂ，２０Ｃ，１２０Ａ〜１２０Ｊ…バー、２５…回転規制部。
【図１】
2016080146.tif 000003
【図２】
2016080146.tif 000004
【図３】
2016080146.tif 000005
【図４】
2016080146.tif 000006
【図５】
2016080146.tif 000007
【図６】
2016080146.tif 000008
【図７】
2016080146.tif 000009